(57)【特許請求の範囲】
【請求項１】
ユーザ機器（ＵＥ）により実行される、ワイヤレス通信のための方法において、
ダウンリンク送信に基づいて、半永続スケジューリング（ＳＰＳ）のアクティブ化または解放に対する１つ以上の条件が満たされていることを検出することと、
前記ダウンリンク送信に関連する１つ以上のメトリックを発生させることと、
前記１つ以上のメトリックが１つ以上の基準を満足する場合、有効なＳＰＳのアクティブ化または解放が生じたと決定することとを含み、
前記１つ以上のメトリックが、デコード品質メトリックを含み、
前記１つ以上の基準が、前記デコード品質メトリックがしきい値を超えることを含み、
前記デコード品質メトリックは、ＳＰＳセル無線ネットワーク一時識別子（Ｃ−ＲＮＴＩ）許可に基づいて発生され、
前記しきい値は、前記Ｃ−ＲＮＴＩ許可のサブフレームと同じサブフレーム中の別の許可のデコード品質メトリックに基づいている方法。
【請求項２】
前記デコード品質メトリックは、前記１つ以上の条件を満足する方法で送信されるペイロードを有する物理ダウンリンク制御チャネル（ＰＤＣＣＨ）に基づいて発生される請求項１記載の方法。
【請求項３】
前記デコード品質メトリックは、対数尤度比（ＬＬＲ）エネルギーメトリック、ハミング距離、または、デコードされたビットと入力ソフトビットとの間の関連の集約品質を示す他の何らかのメトリック、のうちの少なくとも１つを含む請求項１記載の方法。
【請求項４】
前記デコード品質メトリックは、検出した前記１つ以上の条件がＳＰＳのアクティブ化または解放に対応する可能性の表示を提供する請求項１記載の方法。
【請求項５】
ユーザ機器（ＵＥ）によるワイヤレス通信のための装置において、
ダウンリンク送信に基づいて、半永続スケジューリング（ＳＰＳ）のアクティブ化または解放に対する１つ以上の条件が満たされていることを検出する手段と、
前記ダウンリンク送信に関連する１つ以上のメトリックを発生させる手段と、
前記１つ以上のメトリックが１つ以上の基準を満足する場合、有効なＳＰＳのアクティブ化または解放が生じたと決定する手段とを具備し、
前記１つ以上のメトリックが、デコード品質メトリックを含み、
前記１つ以上の基準が、前記デコード品質メトリックがしきい値を超えることを含み、
前記デコード品質メトリックは、ＳＰＳセル無線ネットワーク一時識別子（Ｃ−ＲＮＴＩ）許可に基づいて発生され、
前記しきい値は、前記Ｃ−ＲＮＴＩ許可のサブフレームと同じサブフレーム中の別の許可のデコード品質メトリックに基づいている装置。
【発明の詳細な説明】
【背景】
【０００１】
Ｉ．米国特許法第１１９条の下での優先権の主張
［０００１］
本特許出願は、「半永続スケジューリング（ＳＰＳ）のアクティブ化または解放の誤った検出に対する防御」と題され、２０１３年１０月４日に提出され、この譲受人に譲受され、参照によりここに明確に組み込まれている米国仮出願番号第６１／８８７，３３１号に対する優先権を主張する。
【０００２】
ＩＩ．分野
［０００２］
本開示は一般的に、結果として半永続スケジューリング（ＳＰＳ）のアクティブ化または解放の誤った検出となるシナリオに対して防御するためのアクションをとることに関連する。
【０００３】
ＩＩＩ．背景
［０００３］
音声、ビデオ、パケットデータ、メッセージング、ブロードキャスト等のような、さまざまな通信コンテンツを提供するように、ワイヤレス通信ネットワークが広く配備されている。これらのワイヤレスネットワークは、利用可能なネットワークリソースを共有することにより複数のユーザをサポートできる、多元接続ネットワークであってもよい。このような多元接続ネットワークの例には、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークが含まれる。
【０００４】
［０００４］
ワイヤレス通信ネットワークは、多数のユーザ機器（ＵＥ）に対する通信をサポートできる多数の基地局を含んでいてもよい。ＵＥは、ダウンリンクおよびアップリンクを介して基地局と通信することができる。ダウンリンク（またはフォワードリンク）は、基地局からＵＥへの通信リンクを指し、アップリンク（またはリバースリンク）は、ＵＥから基地局への通信リンクを指す。
【０００５】
［０００５］
ＵＥにとって既知であるさまざまな基準信号（ＲＳ）が、例えば、チャネル推定を促進するために、ダウンリンク中で送信されるかもしれない。いくつかのケースでは、セル中のすべてのＵＥに対して共通である、セル特有なＲＳが提供される。加えて、特定のＵＥをターゲットにしているデータ中に組み込まれる、ＵＥ特有なＲＳも送信されるかもしれない。さらに、マルチメディアブロードキャスト単一周波数ネットワーク（ＭＢＳＦＮ）コンフィギュレーションのケースでは、ＭＢＳＦＮ特有なＲＳも提供されるかもしれない。これらのＲＳは典型的に、直交周波数分割多重化（ＯＦＤＭ）シンボル内の特定されたリソースエレメント（ＲＥ）を占有する。
【概要】
【０００６】
［０００６］
本開示のある態様は、ユーザ機器（ＵＥ）によるワイヤレス通信のための方法を提供する。方法は一般的に、ダウンリンク送信に基づいて、半永続スケジューリング（ＳＰＳ）のアクティブ化または解放に対する１つ以上の条件が満たされていることを検出することと、ダウンリンク送信に関連する１つ以上のメトリックを発生させることと、１つ以上のメトリックが１つ以上の基準を満足する場合、有効なＳＰＳのアクティブ化または解放が生じたと決定することとを含んでいる。
【０００７】
［０００７］
本開示のある態様は、ワイヤレス通信のための装置を提供する。装置は一般的に、ダウンリンク送信に基づいて、半永続スケジューリング（ＳＰＳ）のアクティブ化または解放に対する１つ以上の条件が満たされていることを検出するようにと、ダウンリンク送信に関連する１つ以上のメトリックを発生させるようにと、１つ以上のメトリックが１つ以上の基準を満足する場合、有効なＳＰＳのアクティブ化または解放が生じたと決定するように構成されている少なくとも１つのプロセッサと、少なくとも１つのプロセッサに結合されているメモリとを備えている。
【０００８】
［０００８］
本開示のある態様は、ワイヤレス通信のための装置を提供する。装置は一般的に、ダウンリンク送信に基づいて、半永続スケジューリング（ＳＰＳ）のアクティブ化または解放に対する１つ以上の条件が満たされていることを検出する手段と、ダウンリンク送信に関連する１つ以上のメトリックを発生させる手段と、１つ以上のメトリックが１つ以上の基準を満足する場合、有効なＳＰＳのアクティブ化または解放が生じたと決定する手段とを備えている。
【０００９】
［０００９］
本開示のある態様は、ユーザ機器（ＵＥ）によるワイヤレス通信のためのコンピュータ読取可能媒体を提供する。コンピュータ読取可能媒体は一般的に、ダウンリンク送信に基づいて、半永続スケジューリング（ＳＰＳ）のアクティブ化または解放に対する１つ以上の条件が満たされていることを検出するための命令と、ダウンリンク送信に関連する１つ以上のメトリックを発生させるための命令と、１つ以上のメトリックが１つ以上の基準を満足する場合、有効なＳＰＳのアクティブ化または解放が生じたと決定するための命令とを含んでいる。
【００１０】
［００１０］
本開示のある態様は、ユーザ機器（ＵＥ）によるワイヤレス通信のための方法を提供する。方法は一般的に、有効な半永続スケジューリング（ＳＰＳ）のアクティブ化が生じたと決定することと、多数の物理ダウンリンク共有チャネル（ＰＤＳＣＨ）ＣＲＣ失敗を検出することと、検出に基づいて、ＳＰＳの解放を暗黙的に宣言することとを含んでいる。
【００１１】
［００１１］
本開示のある態様は、ワイヤレス通信のための装置を提供する。装置は一般的に、有効な半永続スケジューリング（ＳＰＳ）のアクティブ化が生じたと決定するようにと、多数のＰＤＳＣＨ  ＣＲＣ失敗を検出するようにと、検出に基づいて、ＳＰＳの解放を暗黙的に宣言するように構成されている少なくとも１つのプロセッサを備えている。
【００１２】
［００１２］
本開示のある態様は、ワイヤレス通信のための装置を提供する。装置は一般的に、有効な半永続スケジューリング（ＳＰＳ）のアクティブ化が生じたと決定する手段と、多数のＰＤＳＣＨ  ＣＲＣ失敗を検出する手段と、検出に基づいて、ＳＰＳの解放を暗黙的に宣言する手段とを備えている。
【００１３】
［００１３］
本開示のある態様は、ワイヤレス通信のためのコンピュータ読取可能媒体を提供する。コンピュータ読取可能媒体は一般的に、有効な半永続スケジューリング（ＳＰＳ）のアクティブ化が生じたと決定するための命令と、多数のＰＤＳＣＨ  ＣＲＣ失敗を検出するための命令と、検出に基づいて、ＳＰＳの解放を暗黙的に宣言するための命令とを含んでいる。
【図面の簡単な説明】
【００１４】
【図１】［００１４］  図１は、ワイヤレス通信ネットワークを示している。
【図２】［００１５］  図２は、基地局およびＵＥのブロックダイヤグラムを示している。
【図３】［００１６］  図３は、例示的なフレーム構造を示している。
【図４】［００１７］  図４は、ダウンリンクのための２つの例示的なサブフレームフォーマットを示している。
【図５】［００１８］  図５は、本開示のある態様にしたがった、例示的な基地局とユーザ機器とを示している。
【図６】［００１９］  図６は、本開示のある態様にしたがった、ユーザ機器により実行することができる例示的な動作を図示している。
【図７】［００２０］  図７は、本開示のある態様にしたがった、ユーザ機器により実行することができる例示的な動作を図示している。
【詳細な説明】
【００１５】
［００２１］
本開示のある態様は、ＳＰＳのアクティブ化または解放をユーザ機器（ＵＥ）が誤って検出することによりもたらされるかもしれない悪い影響に対して防御するための技術を提供する。例えば、技術は、不必要なダウンロード（ＤＬ）デコード試行につながるかもしれない、肯定ＳＰＳ  ＤＬのアクティブ化を誤って検出することを、ＵＥが回避するのを手助けできる。別の例として、技術は、ＳＰＳの解放を逃すことをＵＥが回避するのを手助けできる、または、いくつかのケースでは、ＳＰＳの解放を逃したときにＵＥが暗黙的に解放できるようにする。
【００１６】
［００２２］
ここで説明する技術を、ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して使用してもよい。用語「ネットワーク」および「システム」は、交換可能に使用されることが多い。ＣＤＭＡネットワークは、ユニバーサル地上無線アクセス（ＵＴＲＡ）、ｃｄｍａ２０００等のような無線テクノロジーを実現してもよい。ＵＴＲＡには、ワイドバンドＣＤＭＡ（ＷＣＤＭＡ（登録商標））、時分割同期ＣＤＭＡ（ＴＤ−ＳＣＤＭＡ）、および、ＣＤＭＡの他の変形が含まれる。ｃｄｍａ２０００は、ＩＳ−２０００、ＩＳ−９５、およびＩＳ−８５６標準規格をカバーしている。ＴＤＭＡネットワークは、グローバルシステムフォーモバイルコミュニケーション（ＧＳＭ（登録商標））のような無線テクノロジーを実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュ−ＯＦＤＭ（登録商標）等のような無線テクノロジーを実現してもよい。ＵＴＲＡおよびＥ−ＵＴＲＡは、ユニバーサルモバイルテレコミュニケーションシステム（ＵＭＴＳ）の一部である。周波数分割多重（ＦＤＤ）および時分割多重（ＴＤＤ）の両方における、３ＧＰＰ（登録商標）ロングタームエボリューション（ＬＴＥ（登録商標））およびＬＴＥアドバンスド（ＬＴＥ−Ａ）は、Ｅ−ＵＴＲＡを使用する、ＵＭＴＳの新たなリリースであり、ダウンリンク上でＯＦＤＭＡを用い、アップリンク上でＳＣ−ＦＤＭＡを用いる。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関からの文書中に説明されている。ｃｄｍａ２０００およびＵＭＢは、「第３世代パートナーシッププロジェクト２」（３ＧＰＰ２）と名付けられている機関からの文書中に説明されている。ここで説明する技術は、上述したワイヤレスネットワークおよび無線テクノロジーとともに、他のワイヤレスネットワークおよび無線テクノロジーに対して使用してもよい。明確にするために、本技術のある態様は、ＬＴＥに関して以下で説明され、以下の説明の多くにおいてＬＴＥ専門用語を使用している。
【００１７】
［００２３］
図１は、本開示の技術を実施できるワイヤレス通信ネットワーク１００を示している。例えば、図１中に示しているＵＥ１２０は、結果として半永続スケジューリング（ＳＰＳ）のアクティブ化または解放の誤った検出となるシナリオに対して防御するために、ここで説明する技術を利用することができる。
【００１８】
［００２４］
ある態様にしたがうと、ワイヤレス通信ネットワーク１００は、ＬＴＥネットワークまたは他の何らかのワイヤレスネットワークであってもよい。ワイヤレス通信ネットワーク１００は、多数の進化型ノードＢ（ｅＮＢ）１１０および他のネットワークエンティティを含んでいてもよい。ｅＮＢは、ＵＥと通信するエンティティであり、基地局、ノードＢ、アクセスポイント等と呼ばれることもある。各ｅＮＢは、特定の地理エリアに対する通信カバレッジを提供することができる。３ＧＰＰにおいて、用語「セル」は、用語が使用される文脈に依存して、ｅＮＢのカバレッジエリア、および／または、このカバレッジエリアを担当しているｅＮＢサブシステムのことを指すことがある。
【００１９】
［００２５］
ｅＮＢは、マクロセル、ピコセル、フェムトセル、および／または他のタイプのセルに対する通信カバレッジを提供する。マクロセルは、比較的大きい地理エリア（例えば、半径数キロメートル）をカバーし、サービス加入を有するＵＥによる無制限のアクセスを可能にすることができる。ピコセルは、比較的小さい地理エリアをカバーし、サービス加入を有するＵＥによる無制限のアクセスを可能にすることができる。フェムトセルは、比較的小さい地理エリア（例えば、家）をカバーし、フェムトセルとの関係を有するＵＥ（例えば、閉じられた加入者グループ（ＣＳＧ）中のＵＥ）による制限されたアクセスを可能にすることができる。マクロセルのためのｅＮＢは、マクロｅＮＢと呼ばれることがある。ピコセルのためのｅＮＢは、ピコｅＮＢと呼ばれることがある。フェムトセルのためのｅＮＢは、フェムトｅＮＢまたはホームｅＮＢ（ＨｅＮＢ）と呼ばれることがある。図１中に示している例では、ｅＮＢ１１０ａは、マクロセル１０２ａのためのマクロｅＮＢであり、ｅＮＢ１１０ｂは、ピコセル１０２ｂのためのピコｅＮＢであり、ｅＮＢ１１０ｃは、フェムトセル１０２ｃのためのフェムトｅＮＢである。ｅＮＢは、１つまたは複数（例えば、３つ）のセルをサポートすることができる。用語「ｅＮＢ」、「基地局」、および「セル」を、ここで互換可能に使用する。
【００２０】
［００２６］
ワイヤレス通信ネットワーク１００は、中継局も含んでいる。中継局は、アップストリーム局（例えば、ｅＮＢまたはＵＥ）からのデータの送信を受信でき、ダウンストリーム局（例えば、ＵＥまたはｅＮＢ）へのデータの送信を送ることができるエンティティである。中継局はまた、他のＵＥに対する送信を中継できるＵＥであってもよい。図１中で示している例では、中継局１１０ｄは、ｅＮＢ１１０ａとＵＥ１２０ｄとの間の通信を促進するために、マクロｅＮＢ１１０ａおよびＵＥ１２０ｄと通信することができる。中継局は、中継ｅＮＢ、中継基地局、中継器等と呼ばれることもある。
【００２１】
［００２７］
ワイヤレス通信ネットワーク１００は、例えば、マクロｅＮＢ、ピコｅＮＢ、フェムトｅＮＢ、中継ｅＮＢ等のような、異なるタイプのｅＮＢを含んでいる、ヘテロジニアスなネットワークであってもよい。これらの異なるタイプのｅＮＢは、異なる送信電力レベル、異なるカバレッジエリア、および、ワイヤレス通信ネットワーク１００中の干渉における異なる影響を有している。例えば、マクロｅＮＢは、高い送信電力レベル（例えば、５から４０ワット）を有している一方で、ピコｅＮＢ、フェムトｅＮＢ、および中継ｅＮＢは、より低い送信電力レベル（例えば、０．１から２ワット）を有している。
【００２２】
［００２８］
ネットワーク制御装置１３０は、１組のｅＮＢに結合しており、これらのｅＮＢに対する調整および制御を提供することができる。ネットワーク制御装置１３０は、バックホールを介してｅＮＢと通信してもよい。ｅＮＢはまた、例えば、ワイヤレスまたはワイヤラインのバックホールを介して直接的にまたは間接的に、互いに通信してもよい。
【００２３】
［００２９］
ＵＥ１２０は、ワイヤレス通信ネットワーク１００全体を通して分散していてもよく、各ＵＥは、静的であっても、または移動体であってもよい。ＵＥは、端末、移動局、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック等であるかもしれない。ある態様にしたがうと、ＳＰＳのアクティブ化または解放をＵＥが誤って検出することによりもたらされるかもしれない悪い影響に対して防御するためのある技術を、ＵＥ１２０は実行することができる。１つの例では、ＵＥ１２０は、ＳＰＳのアクティブ化または解放を誤って検出することを避けるために、ダウンリンク送信に基づいて、半永続スケジューリング（ＳＰＳ）のアクティブ化または解放に対する１つ以上の条件が満たされていることを検出する。その後、ＵＥ１２０は、ダウンリンク送信に関連する１つ以上のメトリックを発生させ、１つ以上のメトリックが１つ以上の基準を満足する場合、有効なＳＰＳのアクティブ化または解放が生じたと決定する。別の例では、ＵＥ１２０は、有効な半永続スケジューリング（ＳＰＳ）のアクティブ化が生じたと決定する。その後、ＵＥ１２０は、多数の物理ダウンリンク共有制御チャネル（ＰＤＳＣＨ）巡回冗長検査（ＣＲＣ）失敗を検出し、検出に基づいて、ＳＰＳの解放を暗黙的に宣言する。
【００２４】
［００３０］
図２は、基地局／ｅＮＢ１１０とＵＥ１２０との設計のブロックダイヤグラムを示しており、基地局／ｅＮＢ１１０とＵＥ１２０は、図１中の基地局／ｅＮＢのうちの１つとＵＥのうちの１つとであってもよい。基地局１１０は、Ｔ本のアンテナ２３４ａないし２３４ｔを装備しており、ＵＥ１２０は、Ｒ本のアンテナ２５２ａないし２５２ｒを装備している。一般的に、Ｔ≧１であり、Ｒ≧１である。
【００２５】
［００３１］
基地局１１０において、送信プロセッサ２２０は、１つ以上のＵＥに対してデータソース２１２からデータを受け取り、ＵＥから受信したチャネル品質インジケータ（ＣＱＩ）に基づいて、各ＵＥに対して１つ以上の変調およびコーディングスキーム（ＭＣＳ）を選択し、ＵＥに対して選択したＭＣＳに基づいて、各ＵＥに対するデータを処理（例えば、エンコードおよび変調）し、すべてのＵＥに対してデータシンボルを提供する。送信プロセッサ２２０はまた、（例えば、ＳＲＰＩ等のための）システム情報および制御情報（例えば、ＣＱＩ要求、許可、上位レイヤのシグナリング等）を処理し、オーバーヘッドシンボルおよび制御シンボルを提供する。プロセッサ２２０はまた、基準信号（例えば、ＣＲＳ）および同期信号（例えば、１次同期信号（ＰＳＳ）および２次同期信号（ＳＳＳ））に対する基準シンボルを発生させる。送信（ＴＸ）複数入力複数出力（ＭＩＭＯ）プロセッサ２３０は、適用可能な場合に、データシンボル、制御シンボル、オーバーヘッドシンボル、および／または基準シンボル上で、空間処理（例えば、プリコーディング）を実行してもよく、Ｔ個の変調器（ＭＯＤ）２３２ａないし２３２ｔにＴ個の出力シンボルストリームを提供してもよい。各変調器２３２は、（例えば、ＯＦＤＭ等のために）それぞれの出力シンボルストリームを処理して、出力サンプルストリームを取得する。各変調器２３２はさらに、出力サンプルストリームを処理（例えば、アナログに変換、増幅、フィルタリング、およびアップコンバート）して、ダウンリンク信号を取得する。変調器２３２ａないし２３２ｔからのＴ個のダウンリンク信号はそれぞれ、Ｔ本のアンテナ２３４ａないし２３４ｔを介して送信される。
【００２６】
［００３２］
ＵＥ１２０において、アンテナ２５２ａないし２５２ｒは、基地局１１０および／または他の基地局からダウンリンク信号を受信し、復調器（ＤＥＭＯＤ）２５４ａないし２５４ｒに受信信号をそれぞれ提供する。各復調器２５４は、その受信信号を調整（例えば、フィルタリング、増幅、ダウンコンバート、およびデジタル化）して、入力サンプルを取得する。各復調器２５４は、（例えば、ＯＦＤＭ等のために）入力サンプルをさらに処理して、受信シンボルを取得する。ＭＩＭＯ検出器２５６は、Ｒ個のすべての復調器２５４ａないし２５４ｒから受信シンボルを取得し、適用可能な場合に、受信シンボル上でＭＩＭＯ検出を実行し、検出シンボルを提供する。受信プロセッサ２５８は、検出シンボルを処理（例えば、復調およびデコード）し、ＵＥ１２０に対するデコードしたデータをデータシンク２６０に提供し、デコードした制御情報およびシステム情報を制御装置／プロセッサ２８０に提供する。本開示のある態様にしたがって、制御装置／プロセッサ２８０は、ここで説明する動作を実行するように構成されていてもよい。チャネルプロセッサ２８４は、以下で説明するように、ＲＳＲＰ、ＲＳＳＩ、ＲＳＲＱ、ＣＱＩ等を決定してもよい。
【００２７】
［００３３］
アップリンク上で、ＵＥ１２０において、送信プロセッサ２６４は、データソース２６２からのデータと、制御装置／プロセッサ２８０からの（例えば、ＲＳＲＰ、ＲＳＳＩ、ＲＳＲＱ、ＣＱＩ等を含む報告のための）制御情報とを受け取って処理する。プロセッサ２６４はまた、１つ以上の基準信号に対する基準シンボルを発生させてもよい。送信プロセッサ２６４からのシンボルは、適用可能な場合に、ＴＸ  ＭＩＭＯプロセッサ２６６によりプリコーディングされ、（例えば、ＳＣ−ＦＤＭ、ＯＦＤＭ等のために）変調器２５４ａないし２５４ｒによりさらに処理され、基地局１１０に送信される。基地局１１０において、ＵＥ１２０および他のＵＥからのアップリンク信号は、アンテナ２３４により受信され、復調器２３２により処理され、適用可能な場合に、ＭＩＭＯ検出器２３６により検出され、受信プロセッサ２３８によりさらに処理されて、ＵＥ１２０により送られ、デコードされた、データおよび制御情報が取得される。プロセッサ２３８は、デコードされたデータをデータシンク２３９に提供し、デコードされた制御情報を制御装置／プロセッサ２４０に提供する。
【００２８】
［００３４］
制御装置／プロセッサ２４０および２８０はそれぞれ、基地局１１０およびＵＥ１２０における動作を指示する。ＵＥ１２０における、プロセッサ２８０および／または他のプロセッサならびにモジュールは、図６および図７の動作６００および／または動作７００を、ならびに／あるいは、ここで記述した技術に対する他のプロセスを、実行または指示してもよい。メモリ２４２および２８２はそれぞれ、基地局１１０およびＵＥ１２０に対する、データおよびプログラムコードを記憶する。スケジューラ２４６は、ダウンリンクおよび／またはアップリンク上のデータ送信のためにＵＥをスケジューリングする。
【００２９】
［００３５］
図３は、ＬＴＥにおけるＦＤＤに対する例示的なフレーム構造３００を示している。ダウンリンクおよびアップリンクのそれぞれに対する送信タイムラインが、無線フレームの単位に区分されている。各無線フレームは、予め定められている持続期間（例えば、１０ミリ秒（ｍｓ））を有しており、０ないし９のインデックスを有する１０個のサブフレームに区分されている。各サブフレームは、２個のスロットを含んでいる。各無線フレームは、したがって、０ないし１９のインデックスを有する２０個のスロットを含んでいる。各スロットは、Ｌ個のシンボル期間を含んでおり、例えば、（図２中で示しているように）ノーマルサイクリックプリフィックスに対して７個のシンボル期間、または、拡張サイクリックプリフィックスに対して６個のシンボル期間を含んでいる。各サブフレーム中の２Ｌ個のシンボル期間に、０ないし２Ｌ−１のインデックスが割り当てられている。
【００３０】
［００３６］
ＬＴＥにおいて、ｅＮＢは、ｅＮＢによりサポートされている各セルに対して、システム帯域幅の中心１．０８ＭＨｚにおいて、ダウンリンク上でＰＳＳおよびＳＳＳを送信することができる。図３中に示しているように、ノーマルサイクリックプリフィックスを有する各無線フレームのサブフレーム０および５におけるシンボル期間６および５中で、ＰＳＳおよびＳＳＳをそれぞれ送信してもよい。ＰＳＳおよびＳＳＳは、セルのサーチおよび捕捉のためにＵＥにより使用することができる。ｅＮＢは、ｅＮＢによりサポートされている各セルに対するシステム帯域幅に渡って、セル特有な基準信号（ＣＲＳ）を送信してもよい。
【００３１】
［００３７］
ＣＲＳは、各サブフレームのあるシンボル期間中に送信してもよく、チャネル推定、チャネル品質測定、および／または他の機能を実行するために、ＵＥにより使用することができる。ｅＮＢはまた、ある無線フレームのスロット１におけるシンボル期間０から３中で、物理ブロードキャストチャネル（ＰＢＣＨ）を送信してもよい。ＰＢＣＨは、何らかのシステム情報を運ぶことができる。ｅＮＢは、あるサブフレームにおいて、物理ダウンリンク共有チャネル（ＰＤＳＣＨ）上でシステム情報ブロック（ＳＩＢ）のような他のシステム情報を送信してもよい。ｅＮＢは、サブフレームの最初のＢ個のシンボル期間中で、物理ダウンリンク制御チャネル（ＰＤＣＣＨ）上で制御情報／データを送信してもよく、Ｂは各サブフレームに対して構成可能であってもよい。ｅＮＢは、各サブフレームの残りのシンボル期間中に、ＰＤＳＣＨ上でトラフィックデータおよび／または他のデータを送信してもよい。
【００３２】
［００３８］
ｅＮＢは、さまざまなスケジューリングメカニズムを使用して、ＵＥをスケジューリングしてもよい。１つのこのようなメカニズムは、半永続スケジューリング（ＳＰＳ）と呼ばれている。ＳＰＳによりｅＮＢがＵＥをスケジューリングするとき、ｅＮＢは、リソースをより周期的に割り振る代わりに、リソースを一度に割り振ってもよく、そして、ＵＥにこれらのリソースを使用させる。言い換えると、ｅＮＢは、ある周期で、予め定められた量のリソースをＵＥに割り当ててもよい。したがって、各送信時間間隔（ＴＴＩ）の間、ＵＥがリソースを要求することは必要とされず、したがって、ｅＮＢにおける制御プランオーバーヘッドがセーブされる。半永続にスケジューリングされるとき、ｅＮＢが、ダウンリンク制御情報（ＤＣＩ）を使用して、任意の時間にＳＰＳをアクティブ化／再アクティブ化／解放するかもしれないので、ＵＥは、すべてのサブフレーム中で物理ダウンリンク制御チャネルを監視する必要がある。しかしながら、いくつかのシナリオにおいて（例えば、ＵＥが干渉を経験しているとき）、ＵＥは、ＳＰＳのアクティブ化または解放を誤って検出し、これはリソースの無駄につながる。したがって、本開示の態様は、実際のＳＰＳのアクティブ化または解放が生じたのか否かをＵＥが決定するのを手助けすることができ、それにより、ＳＰＳのアクティブ化または解放の誤った検出が原因の、リソースが無駄になる問題が軽減される。すなわち、本開示の態様は、ＳＰＳのアクティブ化または解放を誤って検出することに対して防御するための技術を提供する。
【００３３】
［００３９］
図４は、ノーマルサイクリックプリフィックスを有する、ダウンリンクのための２つの例示的なサブフレームフォーマット４１０および４２０を示している。ダウンリンクに対して利用可能な時間周波数リソースが、リソースブロックに区分されている。各リソースブロックは、１つのスロット中で１２個の副搬送波をカバーしており、多数のリソースエレメントを含んでいる。各リソースエレメントは、１つのシンボル期間中の１つの副搬送波をカバーしており、１つの変調シンボルを送るために使用することができ、変調シンボルは、実数値であっても、または複素数値であってもよい。
【００３４】
［００４０］
サブフレームフォーマット４１０は、２本のアンテナを装備しているｅＮＢに対して使用する。シンボル期間０、４、７、および１１中で、アンテナ０および１からＣＲＳを送信することができる。基準信号は、送信機および受信機により事前に知られている信号であり、パイロットと呼ばれることもある。ＣＲＳは、例えば、セル識別子（ＩＤ）に基づいて発生された、セルに対して特有の基準信号である。図４において、ラベルＲａを有する所定のリソースエレメントに対して、アンテナａから、そのリソースエレメント上で変調シンボルを送信してもよく、また、他のアンテナからは、そのリソースエレメント上で変調シンボルは送信されないかもしれない。サブフレームフォーマット４２０は、４本のアンテナを装備しているｅＮＢに対して使用する。ＣＲＳは、シンボル期間０、４、７、および１１中で、アンテナ０および１から送信することができ、シンボル期間１および８中では、アンテナ２および３から送信することができる。両方のサブフレームフォーマット４１０および４２０に対して、ＣＲＳは、均等に間隔を空けた副搬送波上で送信することができ、これはセルＩＤに基づいて決定されるかもしれない。異なるｅＮＢが、それらのセルＩＤに依存して、同じ副搬送波上または異なる副搬送波上で、それらのＣＲＳを送信するかもしれない。両方のサブフレームフォーマット４１０および４２０に対して、ＣＲＳに対して使用されないリソースエレメントは、データ（例えば、トラフィックデータ、制御データ、および／または他のデータ）を送信するために使用してもよい。
【００３５】
［００４１］
ＬＴＥにおける、ＰＳＳ、ＳＳＳ、ＣＲＳ、およびＰＢＣＨは、「進化型ユニバーサル地上無線アクセス（Ｅ−ＵＴＲＡ）；物理チャネルおよび変調」と題されている３ＧＰＰ  ＴＳ  ３６．２１１中で説明されており、これは公に入手可能である。
【００３６】
［００４２］
ＬＴＥにおける、ＦＤＤに対するダウンリンクおよびアップリンクのそれぞれに対して、インターレース構造を使用してもよい。例えば、０ないしＱ−１のインデックスを有するＱ個のインターレースを規定してもよく、Ｑは、４、６、８、１０、または他の何らかの値と等しくてもよい。各インターレースは、Ｑ個のフレームだけ間隔を空けて離されているサブフレームを含んでいてもよい。特に、インターレースｑは、サブフレームｑ、ｑ＋Ｑ、ｑ＋２Ｑ等を含んでいてもよく、ここで、ｑ∈｛０，．．．，Ｑ−１｝である。
【００３７】
［００４３］
ワイヤレスネットワークは、ダウンリンクおよびアップリンク上でのデータ送信に対して、ハイブリッド自動再送（ＨＡＲＱ）をサポートしてもよい。ＨＡＲＱに対して、受信機（例えば、ＵＥ）によりパケットが正しくデコードされるまで、または、他の何らかの終了条件に直面するまで、送信機（例えば、ｅＮＢ）は、パケットの１つ以上の送信を送る。同期ＨＡＲＱに対して、パケットのすべての送信が、単一のインターレースのサブフレーム中で送られる。非同期ＨＡＲＱに対して、パケットの各送信が、任意のサブフレーム中で送られる。
【００３８】
［００４４］
ＵＥは、複数のｅＮＢのカバレッジ内に位置付けられていてもよい。これらのｅＮＢのうちの１つが、ＵＥにサービス提供するように選択されるかもしれない。受信信号強度、受信信号品質、パス損失等のような、さまざまな基準に基づいて、担当ｅＮＢは選択されるかもしれない。受信信号品質は、信号対ノイズおよび干渉比（ＳＩＮＲ）、または基準信号受信品質（ＲＳＲＱ）、または他の何らかのメトリックにより定量化される。ＵＥは、１つ以上の干渉ｅＮＢからの高い干渉をＵＥが観測するかもしれない、支配的な干渉シナリオにおいて動作するかもしれず、これは、誤ったＳＰＳの検出または解放につながるかもしれない。
【００３９】
ＳＰＳのアクティブ化または解放の誤った検出に対して防御するための例示的な技術
［００４５］
上記で着目したように、本開示のある態様は、ユーザ機器（ＵＥ）が肯定ＳＰＳアクティブ化を誤って検出することまたはＳＰＳ解放を逃すことによりもたらされるかもしれない悪影響に対して、防御するための技術を提供する。
【００４０】
［００４６］
ＳＰＳは一般的に、無線リソースが、半静的に、構成され、１つのサブフレームよりも長い時間期間の間、ＵＥに割り振られることができるようにする。この方法で、各サブフレームに対する物理ダウンリンク制御チャネル（ＰＤＣＣＨ）を通した特定のダウンリンク割り当てメッセージまたはアップリンク許可メッセージに対するニーズを避けることにより、ＳＰＳはオーバーヘッドを低減させることができる。例えば、必要とされる無線リソースのタイミングおよび量が予測可能である場合に、ＳＰＳは有用であるかもしれない。
【００４１】
［００４７］
ＳＰＳセル無線ネットワーク一時識別子（ＳＰＳ  Ｃ−ＲＮＴＩ）は、半静的にスケジューリングされた物理ダウンリンク共有チャネル（ＰＤＳＣＨ）データ送信のために、物理ダウンリンク制御チャネル（ＰＤＣＣＨ）上で送信されるスケジューリングメッセージの識別子である。ＳＰＳ  Ｃ−ＲＮＴＩにより、ＵＥはこれらのメッセージを、セル無線ネットワーク一時識別子（Ｃ−ＲＮＴＩ）により識別される動的スケジューリングメッセージに対して使用されるメッセージから区分できるようになる。ＳＰＳ  Ｃ−ＲＮＴＩは典型的に、ＰＤＣＣＨ送信の巡回冗長検査（ＣＲＣ）に適用されるスクランブリングコードとして送信される。
【００４２】
［００４８］
ＳＰＳ  ＤＬのアクティブ化または解放に対するＰＤＣＣＨの誤った検出は、結果として多数の問題となるかもしれない。ＳＰＳ−ＵＬのアクティブ化の誤った検出は、（ＵＥがアクティブ化を検出しなかったことを示す）ＳＰＳ  ＵＬ中のいくつかの数（「Ｘ」）の連続する空送信の後に、基地局によりＳＰＳを暗黙的に解放することを介して取り扱われるかもしれない。
【００４３】
［００４９］
（肯定ＳＰＳアクティブ化ペイロードが送信されなかったときに、アクティブ化を検出したとＵＥが誤って宣言することを意味する）肯定ＳＰＳアクティブ化ペイロードの誤った検出、または、ＳＰＳ解放のためのＤＣＩを逃すことは、ＳＰＳ−Ｃ−ＲＮＴＩでの無駄なＤＬデコード試行をＵＥにスケジューリングさせ、不必要なバッテリー消費につながる。このシナリオは、真正のアクティブ化ペイロードをネットワークがスケジューリングするまで継続するかもしれない。残念ながら、誤検出された許可が原因で、ネットワークは、物理アップリンク制御チャネル（ＰＵＣＣＨ）リソース上でＵＬ肯定応答／否定応答（ＡＣＫ／ＮＡＫ）を予期していないかもしれず、結果として問題を検出しないかもしれず、それにより、補正する時間が遅延される。
【００４４】
［００５０］
本開示の態様は、このシナリオを取り扱うことを手助けできる技術を提供する。一般的に技術は、条件が満たされていると検出した後の、典型的に、有効なＳＰＳのアクティブ化または解放を（例えば、３ＧＰＰ３６．２１３セクション９．２に準拠して、ＰＤＣＣＨペイロードに対して取得されたＣＲＣパリティビットがＳＰＳ  Ｃ−ＲＮＴＩによりスクランブルされており、新たなデータインジケータフィールドが０に設定されたことを）宣言する結果となる、ＵＥによる追加の測定を行うことを伴う。
【００４５】
［００５１］
ある態様にしたがうと、追加の測定は、有効なＳＰＳのアクティブ化または解放を宣言する前に、デコード品質メトリックを利用することを含んでいる。利用できるデコード品質メトリックの例には、これらに限定されないが、尤度比の対数（ＬＬＲ）エネルギーメトリック、ハミング距離、または、デコードされたビットと入力ソフトビットとの間の関連の集約品質を示す他の何らかのダイバージェンスまたは正規化されたメトリックが含まれる。ある態様にしたがうと、たとえＳＰＳのアクティブ化または解放に対する条件が満たされていたとしても、ＵＥは、検出に対するデコード品質メトリックを発生させる。デコード品質メトリックは、例えば、検出した条件がＳＰＳのアクティブ化または解放に実際に対応するか、あるいは、条件を誤って検出したかの、可能性の表示を与える。ある態様にしたがうと、デコード品質メトリックがしきい値より上の場合に、有効なＳＰＳのアクティブ化または解放を検出したとＵＥは宣言する。デコード品質メトリックがしきいレベルより上でない場合は、誤った検出の尤度はより高く、対応する許可を廃棄してもよい（または、取り除いてもよい）。このように、デコード品質メトリックがしきい値より下の場合は、ＵＥは、ＳＰＳのアクティブ化または解放を検出したと決定しなくてもよい。
【００４６】
［００５２］
いくつかのケースでは、ＳＰＳのアクティブ化／解放が送られるときに、ＵＥは、誤ったＣ−ＲＮＴＩ検出に対するチェックをするための比較ルールを実現する。このケースにおいて、衝突の場合、Ｃ−ＲＮＴＩによりスクランブルされた許可のみをＵＥはデコードするであろうことから、このような比較ルールを使用して、より低いデコード品質メトリックおよび／またはシンボルエラーレート（ＳＥＲ）を有するＣ−ＲＮＴＩ／ＳＰＳ−Ｃ−ＲＮＴＩ許可を除外してもよい。このケースにおいて、（例えば、同じサブフレーム中の別の許可に対して）より低いデコード品質メトリックまたはＳＥＲを検出した場合に、誤検出されたＣ−ＲＮＴＩ許可に対してガードするのをＵＥは手助けすることができる。
【００４７】
［００５３］
ある態様にしたがうと、追加の測定は、ＵＥがＳＰＳのアクティブ化を誤って検出するかまたはＳＰＳの解放を逃す場合に（不必要なデコード試行の）サイクルをＵＥがエスケープするのを手助けできる測定を含んでいる。例えば、その正規化されたＰＤＳＣＨシンボルエネルギーが、パスするものよりもより低い、いくつかの数の連続するＳＰＳ−ＤＬ許可上で、ＰＤＳＣＨ  ＣＲＣ失敗の場合に、誤った肯定ＳＰＳアクティブ化を疑うことができる。このケースを検出した際には、ＳＰＳ割り振りを解放することをＵＥは暗黙的に決めてもよい。いくつかのケースでは、例えば、基準信号受信電力（ＲＳＲＰ）および／または基準信号受信品質（ＲＳＲＰ／ＲＳＲＱ）とＣ−ＲＮＴＩ（もしあれば）デコード成功レートとを比較できる追加のチェックを、ＵＥは実行する。これらの動作で基礎となる仮定は、良好なチャネル条件の下における（Ｃ−ＲＮＴＩでは見られない）ＳＰＳ−Ｃ−ＲＮＴＩでの何らかの連続的なＣＲＣ失敗は、誤検出したアクティブ化または（例えば、ＳＰＳ−Ｃ−ＲＮＴＩでＤＬをスケジューリングしないことにおける）誤ったネットワーク挙動が原因であるかもしれないということである。
【００４８】
［００５４］
このような暗黙の解放は、連続するＤＬ  ＣＲＣ失敗にまたつながるかもしれない、ＳＰＳの解放のためのＤＣＩを逃すケース（そして、ネットワークが直ちに解放をリスケジューリングしない場合）を取り扱うのも手助けすることができる。ＡＣＫ／ＮＡＣＫバンドリングが原因で、ＳＰＳに対して発生されたＮＡＣＫも真正のＣ−ＲＮＴＩスケジューリングに影響を及ぼすことから、このようなアプローチを利用することはＴＤＤに対して適用可能であるかもしれない。
【００４９】
［００５５］
図５は、本開示の態様にしたがって、ＵＥ５２０が動作する例示的なシステムを図示している。図示しているように、基地局５１０（例えば、ｅノードＢ）は、送信機モジュール５１２を介してＳＰＳのアクティブ化または解放を（例えば、適切にスクランブルされたＰＤＣＣＨペイロードを介して）シグナリングするように構成されている、ＳＰＳスケジューリングモジュール５１４を有している。ＵＥ５２０は、受信機モジュール５２６を介してＢＳからの送信を受信し、ＳＰＳのアクティブ化／解放検出モジュール５２４が、上記で説明した技術を適用して、誤ったＳＰＳの解放／アクティブ化検出に対して防御することができる。
【００５０】
［００５６］
図６は、本開示の態様にしたがって、誤ったＳＰＳの解放／アクティブ化検出に対して防御するために、ＵＥ（例えば、ＵＥ１２０および／またはＵＥ５２０）により実行することができる例示的な動作６００を図示している。６０２において、ＵＥは、ダウンリンク送信に基づいて、ＳＰＳのアクティブ化または解放に対する１つ以上の条件が満たされていることを検出する。６０４において、ＵＥは、ダウンリンク送信に関連する１つ以上のメトリックを発生させる。６０６において、ＵＥは、１つ以上のメトリックが１つ以上の基準を満足する場合、有効なＳＰＳのアクティブ化または解放が生じたと決定する。
【００５１】
［００５７］
図７は、本開示の態様にしたがって、誤ったＳＰＳのアクティブ化または逃したＳＰＳの解放によりもたらされる条件をエスケープするために、ＵＥ（例えば、ＵＥ１２０および／またはＵＥ５２０）により実行することができる例示的な動作７００を図示している。７０２において、ＵＥは、有効なＳＰＳのアクティブ化が生じたと決定する。７０４において、ＵＥは、多数の連続するＰＤＳＣＨ  ＣＲＣ失敗を検出する。７０６において、ＵＥは、検出に基づいて、ＳＰＳの解放を暗黙的に宣言する。
【００５２】
［００５８］
上記で説明した方法のさまざまな動作は、対応する機能を実行することができる任意の適切な手段により実行してもよい。手段は、これらに限定されないが、回路、特定用途向け集積回路（ＡＳＩＣ）、またはプロセッサを含む、さまざまなハードウェアおよび／またはソフトウェア／ファームウェアコンポーネントならびに／あるいはモジュールを含んでいてもよい。一般的に、図面中に図示している動作が存在する場合、それらの動作は、任意の適切な対応するミーンズ・プラス・ファンクション・コンポーネントにより実行してもよい。
【００５３】
［００５９］
例えば、検出する手段、発生させる手段、決定する手段、および宣言する手段は、図２中に図示した、ＵＥ１２０の受信プロセッサ２５８および／または制御装置／プロセッサ２８０、ならびに／あるいは、図５中に図示した、受信機モジュール５２６および／またはＳＰＳのアクティブ化／解放検出モジュール５２４を含んでいてもよい。
【００５４】
［００６０］
さまざまな異なるテクノロジーおよび技術のうちの任意のものを使用して情報および信号を表してもよいことを、当業者は理解するだろう。例えば、上記の説明全体にわたって参照されるかもしれない、データ、命令、コマンド、情報、信号、ビット、シンボル、およびチップは、電圧、電流、電磁波、磁界または磁粒、光界または光粒、あるいはこれらの任意の組み合わせにより表してもよい。
【００５５】
［００６１］
ここでの開示に関連して説明したさまざまな実例となる論理ブロック、モジュール、回路、およびアルゴリズムステップを、電子ハードウェア、コンピュータソフトウェア、または両方の組み合わせとして実現してもよいことを、当業者はさらに認識するだろう。ハードウェアとソフトウェアとのこの互換性を明確に示すために、さまざまな実例となるコンポーネント、ブロック、モジュール、回路、およびステップを、一般的にそれらの機能性に関して上記で説明した。このような機能性をハードウェアとして実現するか、またはソフトウェアとして実現するかは、特定のアプリケーションと全体的なシステムに課せられている設計制約とに依存する。熟練者は、各特定のアプリケーションに対して変化する方法で、説明した機能性を実現するかもしれないが、このようなインプリメンテーション決定は、本開示の範囲からの逸脱をもたらすものとして解釈すべきではない。
【００５６】
［００６２］
ここでの開示に関連して説明した、さまざまな実例となる論理ブロック、モジュール、および回路は、ここで説明した機能を実行するように設計された、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいはそれらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【００５７】
［００６３］
ここでの開示に関連して説明した方法またはアルゴリズムのステップは、ハードウェアで直接的に、プロセッサにより実行されるソフトウェアモジュールで、または２つの組み合わせで具現化してもよい。ソフトウェアモジュールは、ＲＡＭメモリ、フラッシュメモリ、ＲＯＭメモリ、ＥＰＲＯＭ（登録商標）メモリ、ＥＥＰＲＯＭ（登録商標）メモリ、レジスタ、ハードディスク、リムーバブルディスク、ＣＤ−ＲＯＭ、または、技術的に既知である他の何らかの形態の記憶媒体中に存在してもよい。例示的な記憶媒体は、プロセッサが記憶媒体から情報を読み取ったり、記憶媒体に情報を書き込んだりできるようにプロセッサに結合されている。代替実施形態では、記憶媒体は、プロセッサに統合されていてもよい。プロセッサおよび記憶媒体は、ＡＳＩＣ中に存在してもよい。ＡＳＩＣは、ユーザ端末中に存在していてもよい。代替実施形態では、プロセッサおよび記憶媒体は、ユーザ端末中のディスクリートコンポーネントとして存在してもよい。
【００５８】
［００６４］
１つ以上の例示的な設計において、説明した機能は、ハードウェア、ソフトウェア、ファームウェア、またはこれらの任意の組み合わせで実現してもよい。ソフトウェアで実現する場合、機能は、１つ以上の命令またはコードとしてコンピュータ読取可能媒体上に記憶されていてもよく、あるいは、１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、汎用コンピュータまたは特殊目的コンピュータによりアクセスすることができる任意の利用可能な媒体であってもよい。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータもしくは特殊目的コンピュータにより、または汎用プロセッサもしくは特殊目的プロセッサによりアクセスでき、命令またはデータ構造の形態で所望のプログラムコード手段を伝送または記憶するために使用できる他の何らかの媒体を含むことができる。また、任意の接続は、コンピュータ読取可能媒体と適切に呼ばれる。例えば、ソフトウェアが、ウェブサイトから、サーバから、あるいは、同軸ケーブルを、光ファイバケーブルを、撚り対を、デジタル加入者線（ＤＳＬ）を、または、赤外線、無線、マイクロ波のようなワイヤレステクノロジーを使用する他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）はデータを磁気的に再生する一方で、ディスク（ｄｉｓｃ）はデータをレーザにより光学的に再生する。上記の組み合わせも、コンピュータ読取可能媒体の範囲内に含まれるべきである。
【００５９】
［００６５］
特許請求の範囲を含め、ここで使用する、用語「および／または」は、２つ以上の項目のリスト中で使用するとき、リストされている項目のうちのいずれか１つをそれ自体により用いることができること、または、リストされている項目のうちの２つ以上の任意の組み合わせを用いることができることを意味している。例えば、コンポジションが、コンポーネントＡ、Ｂ、および／またはＣを含んでいるとして説明されている場合、コンポジションは、Ａだけ、Ｂだけ、Ｃだけ、ＡとＢとの組み合わせ、ＡとＣとの組み合わせ、ＢとＣとの組み合わせ、またはＡとＢとＣとの組み合わせを含むことができる。また、特許請求の範囲を含め、ここで使用する、項目のリスト（例えば、「のうちの少なくとも１つ」または「のうちの１つ以上」のようなフレーズにより始まる項目のリスト）中で使用する「または」は、例えば、「Ａ、Ｂ、またはＣ、のうちの少なくとも１つ」のリストが、ＡまたはＢまたはＣあるいはＡＢまたはＡＣまたはＢＣあるいはＡＢＣ（すなわち、ＡとＢとＣ）を意味するように、選言的リストを示している。
【００６０】
［００６６］
本開示の先の説明は、任意の当業者が本開示を製造または使用することを可能にするように提供されている。本開示に対するさまざまな改良は、当業者に容易に明らかとなり、ここで規定される包括的な原理は、本開示の精神または範囲から逸脱することなく他のバリエーションに適用してもよい。したがって、本開示は、ここで説明した例および設計に限定されるように意図してはおらず、ここで開示した原理および新規の特徴と一致する最も広い範囲が与えられるべきである。
以下に、本願出願の当初の特許請求の範囲に記載された発明を付記する。
［１］ユーザ機器（ＵＥ）によるワイヤレス通信のための方法において、
ダウンリンク送信に基づいて、半永続スケジューリング（ＳＰＳ）のアクティブ化または解放に対する１つ以上の条件が満たされていることを検出することと、
前記ダウンリンク送信に関連する１つ以上のメトリックを発生させることと、
前記１つ以上のメトリックが１つ以上の基準を満足する場合、有効なＳＰＳのアクティブ化または解放が生じたと決定することとを含む方法。
［２］前記１つ以上のメトリックが、デコード品質メトリックを含み、
前記１つ以上の基準が、前記デコード品質メトリックがしきい値を超えることを含む［１］記載の方法。
［３］前記デコード品質メトリックは、前記１つ以上の条件を満足する方法で送信されるペイロードを有する物理ダウンリンク制御チャネル（ＰＤＣＣＨ）に基づいて発生される［２］記載の方法。
［４］前記デコード品質メトリックは、ＳＰＳセル無線ネットワーク一時識別子（Ｃ−ＲＮＴＩ）許可に基づいて発生され、
前記しきい値は、同じサブフレーム中の別の許可のデコード品質メトリックに基づいている［２］記載の方法。
［５］前記デコード品質メトリックは、ＬＬＲエネルギーメトリック、ハミング距離、または、デコードされたビットと入力ソフトビットとの間の関連の集約品質を示す他の何らかのメトリック、のうちの少なくとも１つを含む［２］記載の方法。
［６］前記デコード品質メトリックは、検出した前記１つ以上の条件がＳＰＳのアクティブ化または解放に対応する可能性の表示を提供する［２］記載の方法。
［７］ユーザ機器（ＵＥ）によるワイヤレス通信のための方法において、
有効な半永続スケジューリング（ＳＰＳ）のアクティブ化が生じたと決定することと、
多数の物理ダウンリンク共有制御チャネル（ＰＤＳＣＨ）巡回冗長検査（ＣＲＣ）失敗を検出することと、
前記検出した多数のＰＤＳＣＨ  ＣＲＣ失敗に基づいて、ＳＰＳの解放を暗黙的に宣言することとを含む方法。
［８］前記検出することは、多数の連続するＰＤＳＣＨ  ＣＲＣ失敗を検出することを含む［７］記載の方法。
［９］前記ＳＰＳの解放を暗黙的に宣言することは、基準信号受信電力（ＲＳＲＰ）、基準信号受信品質（ＲＳＲＱ）、または、シンボルエラーレート（ＳＥＲ）、のうちの少なくとも１つにも基づいている［７］記載の方法。
［１０］前記ＳＰＳの解放を暗黙的に宣言することは、前記ＲＳＲＰとセル無線ネットワーク一時識別子（Ｃ−ＲＮＴＩ）デコード成功レートとの間の比較、または、前記ＲＳＲＱと前記Ｃ−ＲＮＴＩデコード成功レートとの間の比較、のうちの少なくとも１つに基づいている［７］記載の方法。
［１１］ユーザ機器（ＵＥ）によるワイヤレス通信のための装置において、
ダウンリンク送信に基づいて、半永続スケジューリング（ＳＰＳ）のアクティブ化または解放に対する１つ以上の条件が満たされていることを検出するようにと、
前記ダウンリンク送信に関連する１つ以上のメトリックを発生させるようにと、
前記１つ以上のメトリックが１つ以上の基準を満足する場合、有効なＳＰＳのアクティブ化または解放が生じたと決定するように構成されている少なくとも１つのプロセッサと、
前記少なくとも１つのプロセッサに結合されているメモリとを具備する装置。
［１２］前記１つ以上のメトリックが、デコード品質メトリックを含み、
前記１つ以上の基準が、前記デコード品質メトリックがしきい値を超えることを含む［１１］記載の装置。
［１３］前記デコード品質メトリックは、前記１つ以上の条件を満足する方法で送信されるペイロードを有する物理ダウンリンク制御チャネル（ＰＤＣＣＨ）に基づいて発生される［１２］記載の装置。
［１４］前記デコード品質メトリックは、ＳＰＳ−Ｃ−ＲＮＴＩ許可に基づいて発生され、
前記しきい値は、同じサブフレーム中の別の許可のデコード品質メトリックに基づいている［１２］記載の装置。
［１５］前記デコード品質メトリックは、ＬＬＲエネルギーメトリック、ハミング距離、または、デコードされたビットと入力ソフトビットとの間の関連の集約品質を示す他の何らかのメトリック、のうちの少なくとも１つを含む［１２］記載の装置。
［１６］前記デコード品質メトリックは、検出した前記１つ以上の条件がＳＰＳのアクティブ化または解放に対応する可能性の表示を提供する［１２］記載の装置。
［１７］ユーザ機器（ＵＥ）によるワイヤレス通信のための装置において、
有効な半永続スケジューリング（ＳＰＳ）のアクティブ化が生じたと決定するようにと、
多数の物理ダウンリンク共有制御チャネル（ＰＤＳＣＨ）巡回冗長検査（ＣＲＣ）失敗を検出するようにと、
前記検出した多数のＰＤＳＣＨ  ＣＲＣ失敗に基づいて、ＳＰＳの解放を暗黙的に宣言するように構成されている少なくとも１つのプロセッサと、
前記少なくとも１つのプロセッサに結合されているメモリとを具備する装置。
［１８］前記検出することは、多数の連続するＰＤＳＣＨ  ＣＲＣ失敗を検出することを含む［１７］記載の装置。
［１９］前記少なくとも１つのプロセッサは、基準信号受信電力（ＲＳＲＰ）、基準信号受信品質（ＲＳＲＱ）、または、シンボルエラーレート（ＳＥＲ）、のうちの少なくとも１つにも基づいて、前記ＳＰＳの解放を暗黙的に宣言するように構成されている［１７］記載の装置。
［２０］前記ＳＰＳの解放を暗黙的に宣言することは、前記ＲＳＲＰとセル無線ネットワーク一時識別子（Ｃ−ＲＮＴＩ）デコード成功レートとの間の比較、または、前記ＲＳＲＱと前記Ｃ−ＲＮＴＩデコード成功レートとの間の比較、のうちの少なくとも１つに基づいている［１７］記載の装置。
【図１】
0006625526.tif 000002
【図２】
0006625526.tif 000003
【図３】
0006625526.tif 000004
【図４】
0006625526.tif 000005
【図５】
0006625526.tif 000006
【図６】
0006625526.tif 000007
【図７】
0006625526.tif 000008